(57)【要約】【課題】立体感のある照明光を照射することができる照明器具を提供する。【解決手段】第１導光板４１は、造営材１１に対して平行、かつ、離間配置される。第２導光板４２は、第１導光板４１に対して造営材１１とは反対側において平行、かつ、離間配置される。第１発光部３１は、第１導光板４１の入射端面４１３に向けて光を照射し、第２発光部３２は、第２導光板４２の入射端面４２３に向けて光を照射する。そして、第１導光板４１および第２導光板４２は、入射端面４１３、４２３から入射した光が上面および下面から出射するとともに、厚み方向に沿った透光性を有する。従って、第１導光板４１に入射した光は、造営材１１側および第２導光板４２側に光を出射し、第２導光板４２側に出射された光は、第２導光板４２を通り抜けて下方に照射される。また、第２導光板４２に入射した光は、第１導光板４１側および下方に光を出射し、上方に出射された光は、第１導光板４１を通り抜けて造営材１１に照射される。【選択図】図３
2015069901.tif 000002
【特許請求の範囲】
【請求項１】
器具本体と、
前記器具本体に収容される電源部と、
前記器具本体に、前記器具本体から外側に伸びて支持された第１導光板と、
前記器具本体に、前記器具本体から外側に伸びて支持されるとともに前記第１導光板に対して平行、かつ、離間配置される第２導光板と、
前記第１導光板における前記器具本体側の入射端面に向けて光を照射可能な第１発光部と、
前記第２導光板における前記器具本体側の入射端面に向けて光を照射可能な第２発光部と、
前記第１導光板および前記第２導光板は、前記入射端面から入射した光が前記入射方向に対して交差する方向に出射可能であり、
前記第１導光板は、厚み方向に沿った透光性を有する照明器具。
【請求項２】
請求項１に記載の照明器具において、
前記第２導光板は、厚み方向に沿った透光性を有する照明器具。
【請求項３】
請求項１または請求項２に記載の照明器具において、
前記第１導光板および前記第２導光板は前記入射端面に囲まれた中空部を有する照明器具。
【請求項４】
請求項１から請求項３までのうちのいずれか１項に記載の照明器具において、
前記第１導光板および前記第２導光板は円弧状の外端面を有する照明器具。
【請求項５】
請求項１から請求項４までのうちのいずれか１項に記載の照明器具において、
前記第１導光板および前記第２導光板は互いに平面形状が相似形状であるとともに、前記第１導光板の平面輪郭形状が前記第２導光板の平面輪郭形状よりも大きく、かつ、平面視において前記第１導光板の平面輪郭内に前記第２導光板の平面輪郭が配置されている照明器具。
【請求項６】
請求項１から請求項５までのうちのいずれか１項に記載の照明器具において、
前記第１導光板および前記第２導光板は円盤形状であるとともに、前記器具本体を中心とする同軸に配置されている照明器具。
【請求項７】
請求項１から請求項６までのうちのいずれか１項に記載の照明器具において、
前記第１発光部および前記第２発光部は互いに異なる色温度の光を発光する照明器具。
【請求項８】
請求項１から請求項７までのうちのいずれか１項に記載の照明器具において、
前記器具本体に設けられ、造営材とは反対側に光を出射する補助光部を有する照明器具。
【請求項９】
請求項１に記載の照明器具において、
前記第２導光板は、前記第１導光板側の面に不透過層が設けられている照明器具。
【発明の詳細な説明】
【技術分野】
【０００１】
本発明は、光源から出射された光を導光板を介して照射することにより照明する照明器具に関するものである。
【背景技術】
【０００２】
従来、光源から出射された光の向きを光制御部材により制御する照明器具が知られている（例えば、特許文献１参照）。
図８に示すように、特許文献１に記載の照明器具１００では、器具本体であるシャーシ１０１の下面に、光源保持部１０２が取り付けられており、光源保持部１０２の側面には光源であるＬＥＤモジュール１０３が取付けられている。
ＬＥＤモジュール１０３は、ＬＥＤ基板１０４と、ＬＥＤ基板１０４に実装され、昼光色の光を発する複数の昼光色ＬＥＤ１０５と、電球色の光を発する複数の電球色ＬＥＤ１０６とを有する。
【０００３】
シャーシ１０１には、ＬＥＤモジュール１０３から出射された光の向きを制御する光制御部材としての導光板１０７が設けられており、導光板１０７の上下面には、拡散板１０８が設けられている。導光板１０７は、中央にＬＥＤモジュール１０３の配置形状に合わせた正八角形状の穴を有する円板状である。
従って、ＬＥＤモジュール１０３から出射された光は、導光板１０７に入射し、入射した光の一部は、導光板１０７の上下面間にて全反射を繰り返しつつ、導光板の外縁部に向けて広がる。このとき、導光板１０７から拡散板１０８に入射し、拡散板１０８で拡散されて下方および上方に出射される。
【先行技術文献】
【特許文献】
【０００４】
【特許文献１】特開２０１１−２２２４２０号公報（第１０図）
【発明の概要】
【発明が解決しようとする課題】
【０００５】
しかしながら、前述したような特許文献１に記載の従来の照明器具においては、薄型の照明器具であり、そして、１枚の導光板を用いて光源からの光を導光しているため、照明器具自体およびそこから出射される照明光に、立体感に欠けて物足りないという問題があった。
【０００６】
また、特許文献１に記載の従来の照明器具においては、導光板１０７から出射される光量を増やすためにＬＥＤモジュール１０３の数を増やすと、導光板１０７が一枚であるため高出力、高輝度の光が眩し過ぎるとともに、導光板１０７から発生する熱が多過ぎるという不都合がある。
【０００７】
さらに、導光板１０７から出射される光量を増やすためには、導光板１０７の中央に配置されるＬＥＤモジュール１０３の数を増やす必要がある。
しかしながら、ＬＥＤモジュール１０３の数を増やすためには、導光板１０７の中央に設けられた角形の穴の端面寸法を変えることなく多角形化する必要があるが、この場合、導光板１０７自体が大型化するという問題もある。
【０００８】
本発明は、従来の問題を解決するためになされたもので、立体感のある照明光が得られるとともに熱の発生を抑え、かつ、導光板を小型化できる照明器具を提供することを目的とする。
【課題を解決するための手段】
【０００９】
本発明の照明器具は、器具本体と、前記器具本体に収容される電源部と、前記器具本体に、前記器具本体から外側に伸びて支持された第１導光板と、前記器具本体に、前記器具本体から外側に伸びて支持されるとともに前記第１導光板に対して平行、かつ、離間配置される第２導光板と、前記第１導光板における前記器具本体側の入射端面に向けて光を照射可能な第１発光部と、前記第２導光板における前記器具本体側の入射端面に向けて光を照射可能な第２発光部と、前記第１導光板および前記第２導光板は、前記入射端面から入射した光が前記入射方向に対して交差する方向に出射可能であり、前記第１導光板は、厚み方向に沿った透光性を有するものである。
【００１０】
また、本発明の照明器具は、前記第２導光板は、厚み方向に沿った透光性を有するものである。
【００１１】
また、本発明の照明器具は、前記第１導光板および前記第２導光板は前記入射端面に囲まれた中空部を有するものである。
【００１２】
また、本発明の照明器具は、前記第１導光板および前記第２導光板は円弧状の外端面を有するものである。
【００１３】
また、本発明の照明器具は、前記第１導光板および前記第２導光板は互いに平面形状が相似形状であるとともに、前記第１導光板の平面輪郭形状が前記第２導光板の平面輪郭形状よりも大きく、かつ、平面視において前記第１導光板の平面輪郭内に前記第２導光板の平面輪郭が配置されているものである。
【００１４】
さらに、本発明の照明器具は、前記第１導光板および前記第２導光板は円盤形状であるとともに、前記器具本体を中心とする同軸に配置されているものである。
【００１５】
また、本発明の照明器具は、前記第１発光部および前記第２発光部は互いに異なる色温度の光を発光するものである。
【００１６】
さらに、本発明の照明器具は、前記器具本体に設けられ、造営材とは反対側に光を出射する補助光部を有するものである。
【発明の効果】
【００１７】
本発明は、第１導光板および第２導光板を有するため、１枚の導光板を用いた場合に比較して、立体感が得られる。
また、本発明は、第１導光板および第２導光板を有するため、１枚の導光板を用いた場合に比較して、高出力、高輝度の光が眩し過ぎたり、導光板から発生する熱が多過ぎるという不都合が生じず、さらに、導光板から出射される光量を増やすために、導光板自体が大型化するという問題も避けられる。
【図面の簡単な説明】
【００１８】
【図１】本発明に係る実施形態の照明器具の側面図
【図２】本発明に係る実施形態の照明器具を下方から見た斜視図
【図３】図１中ＩＩＩ−ＩＩＩ位置の断面図
【図４】図３中ＩＶ−ＩＶ位置の断面図
【図５】第１導光板に入射した第１発光部の光および第２導光板に入射した第２発光部の光の進路を示す断面図
【図６】（Ａ）は照明器具を壁面に取り付けた場合を示す斜視図であり、（Ｂ）は照明器具を上方から見た平面図であり、（Ｃ）は照明器具を出隅部に取り付けた場合を示す斜視図であり、（Ｄ）は照明器具を上方から見た平面図であり（Ｅ）は照明器具を入隅部に取り付けた場合を示す斜視図であり、（Ｆ）は照明器具を上方から見た平面図
【図７】本発明の変形例を示す要部模式
【図８】従来の照明器具における要部の部分拡大断面図
【発明を実施するための形態】
【００１９】
以下、本発明に係る実施形態の照明器具について、図面を用いて説明する。
図１および図２に示すように、実施形態の照明器具１０は、造営材である例えば天井材１１の下面（天井面１２）に取り付けて、下方の室内１３および天井面１２等を照明するのに用いることができる。
なお、以下の説明においては、室内１３から見て天井面１２側を「上」、天井面１２と反対側を「下」と云うこととする。
【００２０】
図１および図３に示すように、照明器具１０は、天井面１２に取り付けられる器具本体２０を有する。器具本体２０は、周壁２２の上端に天板２１を有し、周壁２２の下端に底板２４を有する薄い円筒形状を呈しており、内部に電源部２６を収容している。
天板２１には、天井面１２に取り付けられている引掛シーリング１７に対して、電気的および機械的に接合する接合部２７が設けられている。また、天板２１の上面には、ゴムやスポンジ等の弾性部材２３が取り付けられている。
【００２１】
従って、器具本体２０の接合部２７を天井面１２の引掛シーリング１７に接合することにより、器具本体２０は天井面１２に取り付けられると同時に、電源部２６は天井材１１の裏側（上側）に配線されている電源線（図示省略）と電気的に接続される。
このとき、弾性部材２３が天板２１と天井面１２との間で押し縮められるので、その反発力により器具本体２０はぐらつくことなく天井面１２に取り付けられる。
【００２２】
図３および図４に示すように、器具本体２０の底板２４の中央部には、中央筒部２５が設けられている。中央筒部２５は、ここでは平面視で六角形の断面を有する。中央筒部２５の内部には、電源部２６が収容されている。
中央筒部２５の外側面には、器具本体２０に最も近い側（すなわち、最上部）に、第１発光部３１が取り付けられ、第１発光部３１の下側に所定間隔離れて第２発光部３２が設けられている。
【００２３】
第１発光部３１は、細長い矩形平板状のＬＥＤ基板３１１を有し、ＬＥＤ基板３１１には、複数のＬＥＤ３１２が実装されている。平板状のＬＥＤ基板３１１は、中央筒部２５の６個の平面状の外側面に取り付けられている（図４参照）。
従って、ＬＥＤ基板３１１は器具本体２０の底板２４に対して直角に取り付けられており、ＬＥＤ３１２は中央筒部２５から離れる方向に天井面１２と平行に光を発する（図５参照）。
【００２４】
同様に、第２発光部３２は、細長い矩形平板状のＬＥＤ基板３２１を有し、ＬＥＤ基板３２１には、複数のＬＥＤ３２２が実装されている。平板状のＬＥＤ基板３２１は、中央筒部２５の６個の平面状の外側面に取り付けられている（図４中カッコ書き参照）。従って、ＬＥＤ基板３２１は器具本体２０の底板２４に対して直角に取り付けられており、ＬＥＤ３２２は中央筒部２５から離れる方向に天井面１２と平行に光を発する。
第１発光部３１および第２発光部３２は、互いに異なる色温度の光を発光するのが望ましい。すなわち、第１発光部３１のＬＥＤ３１２と第２発光部３２のＬＥＤ３２２は、互いに異なる色温度の光を発光する。例えば、第１発光部３１のＬＥＤ３１２を昼光色とし、第２発光部３２のＬＥＤ３２２を電球色とすることができる。
【００２５】
第１発光部３１および第２発光部３２は、電源部２６の制御により点灯する。第１発光部３１および第２発光部３２は、別個に制御することができる。例えば、第１発光部３１および第２発光部３２の両方を同期して点灯させたり、一方を点灯させ、他方を消灯したりすることができる。
また、異なる色温度の第１発光部３１および第２発光部３２の出力を、別個に制御することもできる。
【００２６】
図１および図３に示すように、器具本体２０の底板２４の下面には、器具本体２０から外側に伸びて支持された第１導光板４１が天井面１２に対して平行、かつ、離間配置されて取り付けられている。第１導光板４１は、器具本体２０の底板２４と第１導光板支持部材４３との間に挟まれて支持されている。
図４に示すように、第１導光板４１は中空の円盤形状であり、中央には中央筒部２５が貫通する中空部４１１が設けられている。第１導光板４１の外端面４１２は、円弧状であることが望ましい。中空部４１１は、入射端面４１３に囲まれた平面視で六角形であり、中空部４１１側の入射端面４１３が、第１発光部３１のＬＥＤ３１２に対向するように配置される（図５参照）。
図１および図３に示すように、第１導光板４１は、平面視で器具本体２０よりも大きく、器具本体２０の外側に張り出している。
【００２７】
また、器具本体２０における第１導光板４１に対して天井面１２とは反対側（すなわち、下方）には、器具本体２０から外側に伸びて支持された第２導光板４２が、第１導光板４１に対して平行、かつ、離間配置されて取り付けられている。第２導光板４２は、第１導光板支持部材４３と第２導光板支持部材４４との間に挟まれて支持されている。
図４中カッコ書きで示すように、第２導光板４２は中空の円盤形状であり、中央には中央筒部２５が貫通する中空部４２１が設けられている。第２導光板４２の外端面４２２は、円弧状であることが望ましい。中空部４２１は、入射端面４２３に囲まれた平面視で六角形であり、中空部４２１側の入射端面４２３が、第２発光部３２のＬＥＤ３２２に対向するように配置される（図５参照）。
【００２８】
図２に示すように、第１導光板４１および第２導光板４２は、互いに平面形状が相似形状である。ここでは、第１導光板４１および第２導光板４２は中空の円盤形状であり、器具本体２０を中心とする同軸に配置されている。
また、第１導光板４１の平面輪郭形状は、第２導光板４２の平面輪郭形状よりも大きく、かつ、平面視において第１導光板４１の平面輪郭内に第２導光板４２の平面輪郭が配置されている。従って、平面視で、第２導光板４２は、第１導光板４１に含まれる。
【００２９】
図５に示すように、第１導光板４１および第２導光板４２は、入射端面４１３、４２３から入射した光ＬＡ１、ＬＢ１が、外側に向かって導光され、途中、天井面１２側の上面および下面から出射する。すなわち、入射端面４１３、４２３から外端面４１２、４２２に渡る導光路において、入射する方向に対して交差する方向に光を出射する。
また、第１導光板４１および第２導光板４２は、厚み方向に沿った透光性を有するので、第１導光板４１から下方へ出射した光ＬＡ２は、第２導光板４２を通り抜けて下方へ照射される。
また、第２導光板４２から天井面１２側へ出射した光ＬＢ２は、第１導光板４１を通り抜けて天井面１２へ照射される。天井面１２に照射された光は、天井面１２で反射して下方に照射される（ＬＡ３、ＬＢ３参照）。
さらに、第１発光部３１および第２発光部３２が光を発していない場合には、第１導光板４１および第２導光板４２を通して天井面１２を見ることができる。
【００３０】
図３に示すように、中央筒部２５の先端には、補助光部３３が取り付けられている。補助光部３３は、天井面１２とは反対側、すなわち下方に向かって光を出射する。補助光部３３は、例えばリング状あるいは円板状のＬＥＤ基板３３１の下面に、複数のＬＥＤ３３２を実装して形成することができる。
補助光部３３の下側には、透光性を有する中央カバー３４が取り付けられる。
従って、補助光部３３のＬＥＤ３３２から発せられた光は、中央カバー３４を通って、主に下方に照射される。
【００３１】
次に、照明器具１０から照射される光について説明する。
図５に示すように、第１発光部３１のＬＥＤ３１２から発せられた光ＬＡは、ＬＥＤ３１２に対向する第１導光板４１の入射端面４１３から第１導光板４１の内部に入る。そして、第１導光板４１の内部を外側へ導光される（ＬＡ１）。その途中、光は、天井面１２側および下方に出射される。
従って、第１導光板４１から上方へ照射され天井面１２で反射した間接光および第１導光板４１から下方へ照射され第２導光板４２を透過した光により、室内１３を照明する。
【００３２】
また、第２発光部３２のＬＥＤ３２２から発せられた光ＬＢは、ＬＥＤ３２２に対向する第２導光板４２の入射端面４２３から第２導光板４２の内部に入る。そして、第２導光板４２の内部を外側へ導光される（ＬＢ１）。その途中、光は、天井面１２側および下方に出射される。
従って、第２導光板４２から上方へ照射され第１導光板４１を透過して天井面１２で反射した間接光および第２導光板４２から下方へ照射された光により、室内１３を照明する。
【００３３】
このとき、第１導光板４１および第２導光板４２は、厚み方向に沿った透光性を有するので、第１導光板４１から下方へ出射した光（ＬＡ２）は、第２導光板４２を通り抜けて下方へ照射される。
同様に、第２導光板４２から天井面１２側へ出射した光（ＬＢ２）は、第１導光板４１を通り抜けて天井面１２へ照射される。
また、照明器具１０の下面中央部に設けた補助光部３３のＬＥＤ３３２から発せられた光は、中央カバー３４を通って、主に下方に照射される。
【００３４】
次に、照明器具の作用効果について説明する。
照明器具１０では、天井材１１に支持される器具本体２０には、電源部２６が収容され、第１導光板４１、第２導光板４２、第１発光部３１および第２発光部３２が支持されている。
【００３５】
第１導光板４１は、器具本体２０に支持されるとともに天井面１２に対して平行、かつ、離間配置される。第２導光板４２は、器具本体２０に支持されるとともに第１導光板４１に対して天井面１２とは反対側において平行、かつ、離間配置される。
また、第１発光部３１は、第１導光板４１における器具本体２０側の入射端面４１３に向けて光を照射可能であり、第２発光部３２は、第２導光板４２における器具本体２０側の入射端面４２３に向けて光を照射可能である。
【００３６】
そして、第１導光板４１および第２導光板４２においては、入射端面４１３、４２３から入射した光が外側へ導光され、その途中、天井面１２側の上面および上面とは反対側の下面から出射する。また、第１導光板４１および第２導光板４２は、厚み方向に沿った透光性を有する。
従って、第１発光部３１から第１導光板４１に入射した光は、天井面１２側および第２導光板４２側に出射され、第２導光板４２側に出射された光は、第２導光板４２を通り抜けて天井面１２と反対側の床面等に照射される。
また、第２発光部３２から第２導光板４２に入射した光は、第１導光板４１側および第１導光板４１と反対側に光を出射し、第１導光板４１側に出射された光は、第１導光板４１を通り抜けて天井面１２に照射される。
【００３７】
これにより、第１発光部３１および第２発光部３２の両方の光を、天井面１２および天井面１２と反対側の下方に照射することができる。また、第１導光板４１から出射された光は、第２導光板４２を通り抜けて下方へ照射されるので、立体感のある照明光を照射することができる。
さらに、第１発光部３１および第２発光部３２が光を発していない場合には、第１導光板４１および第２導光板４２を通して天井面１２を見ることができるので、照明器具１０による圧迫感を無くすことができる。
【００３８】
また、照明器具１０によれば、離間配置された第１導光板４１および第２導光板４２を有するため、１枚の導光板を用いた場合に比較して、高出力、高輝度の光が眩し過ぎたり、１枚の導光板から発生する熱が多過ぎるという不都合が生じず、さらに、１枚の導光板から出射される光量を増やすために、１枚の導光板自体が大型化するという問題も避けられる。
【００３９】
また、照明器具１０は、第１導光板４１および第２導光板４２は、それぞれ中空部４１１、４２１が設けられているので、第１導光板４１および第２導光板４２の入射端面４１３、４２３に対向して、第１発光部３１および第２発光部３２を配置できる。
【００４０】
また、照明器具１０は、第１導光板４１および第２導光板４２は円弧状の外端面４１２、４２２を有する。
【００４１】
また、照明器具１０では、第１導光板４１および第２導光板４２は、互いに平面形状が相似形状である。また、第１導光板４１の平面輪郭形状が第２導光板４２の平面輪郭形状よりも大きく、かつ、平面視において第１導光板４１の平面輪郭内に第２導光板４２の平面輪郭が配置されている。すなわち、天井面１２側の第１導光板４１が、天井面１２から遠い側の第２導光板４２よりも大きい。
これにより、天井面１２を間接照明で明るく照明できる。
【００４２】
また、照明器具１０では、第１発光部３１および第２発光部３２は、互いに異なる色温度の光を発光するので、第１導光板４１および第２導光板４２を異なる色で発光させることができ、光を立体的に発することができる。
特に、図３に示すように、照明器具１０は、第１導光板４１の発光領域と第２導光板４２の発光領域とが重なる重複部分があるため、光の立体感が顕著となる。
【００４３】
さらに、照明器具１０は、器具本体２０に設けられ、天井面１２とは反対側に光を出射する補助光部３３を有するので、照明器具１０の直下を十分に照明することができる。
【００４４】
本発明の照明器具は、前述した実施形態に限定されるものでなく、適宜な変形、改良等が可能である。
例えば、前述した実施形態においては、照明器具１０を天井面１２に直付けした場合を例示した。この他、照明器具１０を、ワイヤーやチェーン等の吊下部材で天井面１２から吊下げることも可能である。
【００４５】
また、前述した実施形態においては、照明器具１０を天井面１２に取り付けた場合を例示したが、壁面１４に取り付けることも可能である。
この場合、図６（Ａ）および図６（Ｂ）に示すように、照明器具１０Ａを壁面１４に取り付ける場合には、器具本体２０、第１導光板４１および第２導光板４２等は、平面視で１／２円形状となる。
また、図６（Ｃ）および図６（Ｄ）に示すように、照明器具１０Ｂを壁面１４の出隅部１６に取り付ける場合には、器具本体２０、第１導光板４１および第２導光板４２等は、平面視で３／４円となる。
さらに、図６（Ｅ）および図６（Ｆ）に示すように、照明器具１０Ｃを壁面１４の入隅部１５に取り付ける場合には、器具本体２０、第１導光板４１および第２導光板４２等は、平面視で１／４円となる。
この他にも、壁面に対して第１導光板および第２導光板が平行になるように照明器具を配置してもよく、あるいは照明器具を床置きしてもよい。
【００４６】
また、図７に示す照明器具１０Ｄのように、第２導光板４２における第１導光板４１側の上面に不透過層４２４を設けてもよい。
不透過層４２４における上面および下面の反射率は任意である。
【００４７】
このような照明器具１０Ｄによれば、第２導光板４２の光が、第１導光板４１側に抜けることなく、第１導光板４１とは反対側に出射されるため、第１導光板４１とは反対側の照射空間（天井面１２とは反対側の室内空間等）の明るさを更に高めることができる。
また、第１導光板４１から出射された光のうち、第２導光板４２側に出射された光は、第２導光板４２の不透過層４２４に当たることで反射し、第１導光板４１を透過し天井面１２に向かうので、第１導光板４１に対して第２導光板４２とは反対側の明るさを更に高めることができる。また、第１導光板４１と第２導光板４２において、異なる発光色で点灯した場合、第１導光板４１の光は第２導光板４２の不透過層４２４にて遮られるため、照明器具１０Ｄを下方から見た場合、第１導光板４１のうち、第２導光板４２の不透過層４２４にて遮られていない先端部分をリング状に発光しているように見せることができるほか、第２導光板４２の発光色と、第１導光板４１の先端部分の発光色を異ならせて発光できるなど、点灯時の発光装飾性を高めることができる。
【００４８】
また、前述した実施形態においては、六角形断面を有する中央筒部２５を用いて、中央筒部２５の外側面に６個の第１発光部３１および６個の第２発光部３２を設けた場合を例示した。
中央筒部２５の断面形状は六角形に限定されず、任意の多角形を用いることができる。この場合には、各辺に対応して第１発光部３１および第２発光部３２を設けることができる。
【符号の説明】
【００４９】
１０  照明器具
１１  天井材（造営材）
２０  器具本体
２６  電源部
３１  第１発光部
３２  第２発光部
３３  補助光部
４１  第１導光板
４１３  入射端面
４１２  外端面
４２  第２導光板
４２３  入射端面
４２２  外端面
【図１】
2015069901.tif 000003
【図２】
2015069901.tif 000004
【図３】
2015069901.tif 000005
【図４】
2015069901.tif 000006
【図５】
2015069901.tif 000007
【図６】
2015069901.tif 000008
【図７】
2015069901.tif 000009
【図８】
2015069901.tif 000010